(57)【要約】【課題】眼鏡のフレーム用の理想的な解決手段を明らかにする。【解決手段】交換可能な前方レンズホルダ用の弓状フレームと支持クリップとを備えた眼鏡アセンブリであって、以下を有する、前記前方レンズホルダ支持用のアームを備えた弓状構造体、成形材からなる前方レンズホルダ、ここで、前記成形材は、レンズの外縁の少なくとも一部を取り巻いている、前記前方レンズホルダを前記弓状構造体に結合するのに使用されるフレキシブルな作動機構を有する装置、前記フレキシブル装置は、前記弓状構造体を構成する２つの弓状部間の接続ブリッジに対応して形成されている、ここで、前記前方閉じリングレンズホルダは、レンズの周部支持部間の接続ブリッジを備え、前記ブリッジは、前記弓状構造体に一体形成されるクリップによって係止される。【選択図】        図７
2004157496.tif 000002
【特許請求の範囲】
【請求項１】
交換可能な前方レンズホルダ用の弓状フレームと支持クリップとを備えた眼鏡アセンブリであって、
必要な場合、前方レンズホルダ支持用の弓状構造体とアームと、
レンズの外縁の少なくとも一部を取り巻く前方レンズホルダと、
前記前方レンズホルダを前記弓状構造体に接続するのに使用されるフレキシブルな作動機構を有する装置とを備え、
前記フレキシブル装置が、前記弓状構造体を構成する２つの弓状部分を互いに接続するブリッジに対応して形成されているものにおいて、
前記前方レンズホルダが、前記両レンズの周部支持用の接続ブリッジを有し、このブリッジが前記弓状構造体に一体形成されたクリップによって係止、吊り掛けられることを特徴する眼鏡アセンブリ。
【請求項２】
前記前方レンズホルダは、成形連続フレキシブル金属製の閉じられた複数のリング形状のプロファイルからなり、２つの反対側の終端部において前記眼鏡のレンズの夫々の周辺のほぼ全周を周辺から締めるように適合し、更に、与えられた形状が左右に２つのリングを形成するものであって、前記二つの円状部分の間の接続ブリッジを形成する中間部によって接続される請求項１に記載の前方レンズホルダ用の弓状フレームと支持クリップとを備えた眼鏡アセンブリ。
【請求項３】
前記レンズホルダは、２つの閉じられたリングプロファイルからなり、それは中央が開口し、前記２つの円状部分の間の前記接続ブリッジは、前記プロファイルが互いに近接してほぼ並行な部分を形成している請求項１又は２に記載の前方レンズホルダ用の弓状フレームと支持クリップとを備えた眼鏡アセンブリ。
【請求項４】
前記レンズホルダにおいて、前記接続ブリッジは、２つの左右の鏡像弓状部分を形成すると共に前記クリップを形成する部分において結合してその一部にサドル形状を一体形成する１つの長手バー部材によって形成される弓状フレームに係止可能である請求項１〜３の何れか１項に記載の前方レンズホルダ用の弓状フレームと支持クリップとを備えた眼鏡アセンブリ。
【請求項５】
前記２つの鏡像弓状部のうちの１つの終端に対応する進展に従う前記サドルクリップは、下方にカーブする第１部分、次いで、前記第１折り曲げに対してほぼ垂直に前記眼鏡の内側に向かって延出する第２部分、前記第１部分に対してほぼ反対方向に転置した第３部分、そして、最後に、前記サドルクリップを閉じるために前記第３部分に対して垂直に位置し、前記弓状フレームに対して長手方向に延出する第４部分によって形成される請求項１〜４の何れか１項に記載の前方レンズホルダ用の弓状フレームと支持クリップとを備えた眼鏡アセンブリ。
【請求項６】
前記サドルクリップにおいて、前記係止部は、前記眼鏡構造体に対して、外向き又は内向き、或いは、上下向き又は下上向きである請求項１〜５の何れか１項に記載の前方レンズホルダ用の弓状フレームと支持クリップとを備えた眼鏡アセンブリ。
【請求項７】
前記レンズホルダの前記ブリッジの上側プロファイルのみに対応して歯状部分が設けられている請求項１〜５の何れか１項に記載の前方レンズホルダ用の弓状フレームと支持クリップとを備えた眼鏡アセンブリ。
【発明の詳細な説明】
【０００１】
【発明の属する技術分野】
本発明は、交換可能な前方レンズホルダ用の弓状フレームと支持クリップとを備えた眼鏡アセンブリに関する。
【０００２】
発明の分野
本発明は、特に、軽量の多目的眼鏡の製造、販売の分野に利用可能であるが、これに限定されるものではない。
【０００３】
【従来の技術】
眼鏡用フレームは周知であって、それらは主に、レンズを保持するのに使用されるフレーム、すなわち、眼鏡の２つのリングによって形成され中間のブリッジによって互いに接続される前方部と、時に前記２つのリングと一体形成されるノーズパッドと、２つの支持アーム、とから構成される。
【０００４】
市場には種々の解決構成が存在し、その内、最も重要な解決構成として、例えば、ＥＰ５４６５８９（リンドバーグ（Ｌｉｎｄｂｅｒｇ））があり、その課題は、眼鏡、特にワイヤ型フレームを備えるタイプ、のレンズ用の支持手段を提供することにある。この主要課題の種々の変形例も記載されており、特に、レンズ用の支持構造に関して、この場合は、１つの変形例において、ワイヤは、各レンズの下側部分のみに沿って走るように構成され、別の変形例では、それはレンズの上側部分に沿って走るように構成されている。その結果、ワイヤを曲げ捻ることによって、弓状の１つの構造体が形成され、これが、眼鏡の両サイドにおいては、アームをヒンジ止めするための接続部として作用し、中央部においてはブリッジによって２枚のレンズを保持するための接続部として作用し、更に、各ノーズパッド用の固定点としても作用する。
【０００５】
両レンズを保持するために上部弓状部のみを使用する弓状フレームによって形成されるその他のタイプの眼鏡も知れられている。
【０００６】
従来のタイプのものは、例えば、プラスチック又は金属材から形成される軽量の弓状フレームを予定したものであり、その形状により、それは、その上方部分においてのみ左右に走る。このようにして、両レンズは眼鏡の弓状部分に対して固定される。詳述すると、レンズの上方縁部に沿って多数の穴が形成され、それらを通してフレームに対して垂直に形成されたこれらの固定ポイントが挿入される。これらの固定ポイントは、ネジ溝付端部を備える小さなスタッドであって、レンズに形成された対応の穴を通して取り付けられた後、小さな星状又はその他のタイプのナットを締め付ける。この構成の発展構成は、ＷＯ０２／１０８４０（タバッチ（Ｔａｂａｃｃｈｉ））に記載されており、これは、交換可能な前方レンズホルダ用の支持弓状部材から構成され、これは、前方弓状部に両レンズ又はバイザを固定するために、それを台に固定するためのネジやナットを必要としない。
【０００７】
第２の従来構成も、弓状構造のものであって、これは、その側部に、２つの対称形状（ｃｏｕｎｔｅｒ−ｓｈａｐｅ）部分を形成し、そのそれぞれの部分が、取り付けられる関連するレンズの湾曲プロファイルにフィットするように弓状に形成されている。そして、同様に湾曲するとともに前記２つの部分を接続し両レンズを保持するブリッジ部が、接続ワイヤのその特定部分を成形することによって、前記２つの部分と一体に形成されている。前記２つの弓状部分の外側端部、すなわち、前記弓状部の両端部は、眼鏡の後方部に対して約９０°折り曲げられるとともに、それにハンダ付けされるアームの揺動のための対応のヒンジ用の接続部を備えている。これら各部分は、更に、金属ワイヤの上方部分に対してハンダ付けされるとともに、それから突出するフック又はクリップも備え、これらは両レンズを弓状部に対して保持するために使用される。
【０００８】
更に、その外観を損なうことなく、太陽光線から目を保護する処方眼鏡を着用する必要のある人々が存在することもよく知られている。これらの場合の選択肢は、幾分限定され、それは、レンズの強度や眼鏡が主に使用される環境等の要因によって条件付けられる。消費者にとって現在利用可能な解決構成の１つは、バイザータイプの取り付け構造であって、これは、眼鏡の既存のレンズ上に取り付けられ、その主要前方部に、クリップによって、そして、通常は、眼鏡の上方弓状部とブリッジとに沿って固定される。
【０００９】
上述したものに類似のクリップタイプで、眼鏡が保護レンズを備えた第２のレンズホルダを保持することを可能にする第１構成の具体例は、例えば、ＷＯ９３／２４８５６（ソーク（Ｓａｌｋ））や米国特許６２５７７１８（スペンサー（Ｓｐｅｎｃｅｒ））に記載されている。
【００１０】
本発明に最も近い従来技術
米国特許６３８２７９７（シー（Ｘｉｅ））には、クリップを備えた眼鏡が記載されている。前記クリップは、取り付け部のブリッジに対応して配置され、眼鏡の後方部に向けられている。前記取り付け部を対応のフレームに接続するこのクリップは、関連する両アームが接続される支持フレームの対応ブリッジに重なり、これを係止する。最後に、ノーズレストに対応して前記取り付け部に取り付けられる多数のマグネットによって、アセンブリ全体を安定化させる。
【００１１】
米国特許６２８３５９１（チェン（Ｃｈｅｎ））も、取り付け部を記載しているが、この場合、それは、ブリッジによって上側部に沿って接続された２つのリングによって形成される従来式のフレームを備えた眼鏡の前方部に接続、固定可能に構成されている。詳述すると、この取り付け部も、ブリッジを介して互いに接続された２つのリングから形成され、クリップ又はフレキシブル引っ掛部（ｃａｔｃｈ）を備えた把持部を本質的に備えた一方の端部に係止する固定機構を有している。詳述すると、前記クリップは、前記取り付け部を眼鏡の前方に取り付ける時、前記ブリッジに跨って、僅かに撓み、それによって、眼鏡の前部のブリッジが前記引っ掛部の内部に沿ってシート内に入り、前記引っ掛部と協動する係止点に対して押し付けられた状態で維持される。
【００１２】
最後に、眼鏡用フレームに適用されるレンズを交換するためのシステムも米国特許６３２５５０６（クーパー（Ｃｏｏｐｅｒ））に記載されている。この場合は、前記取り付け部と眼鏡との両方を支持する弓状部材が設けられている。具体的には、この弓状部材も、ブリッジに対応して、バネの作用に抗して作用するレバー式フレキシブル把持部を備えている。前記弓状部材の片側において、取り付け部が、弓状部材の外側に沿って対応の雄−雌締め具に対するように取り付けられている。又、前記把持部は、２つの保護面間の中間陥没部に対応してブリッジを跨ぐように配置され、その両端部によって、眼鏡の前部の両レンズを把持し保持可能に構成されている。
【００１３】
上述した構成を要約すると、以下の構成は周知技術である。すなわち、
−  前方レンズホルダの支持用の弓状構造体とアーム、
−  ワイヤからなる前方レンズホルダ、ここで、前記ワイヤは、両レンズの外縁の少なくとも一部の周りを取り巻いている、
−  前方レンズホルダを弓状構造体に接続するのに使用され、ネジの使用を必要としないフレキシブルな作動機構を有する装置、
−  前記フレキシブル装置を、前記弓状構造体を構成する２つの弓状部分を接続するブリッジに配置すること。
【００１４】
【発明が解決しようとする課題】
欠点
上述した解決構成には様々な欠点が存在する。
【００１５】
フレーム又は主取り付け部をバイザに接続することによる解決構成では、レンズを十分に固定することが困難である。事実、たとえ、それらが外側部分に沿って重なるクリップの作用、或いはマグネットの作用を受けたとしても、フレームに対して大きな遊びが存在する。
【００１６】
そのような状況では、もしも眼鏡が前方軸心に沿って僅かに捻られた場合、例えば、レンズの落下が起こる。
【００１７】
これにより、レンズの落下、或いは、もしも、それらが荒い表面上に落下した場合などは、レンズの損傷、或いは、レンズの損失すら発生する可能性がある。
【００１８】
類似の解決構成に関する限り、それらを実施するには極めて複雑な作業工程が必要であり、更に、時には、穴、溶接、或いは接着が必要である。それにもかかわらず、そのような場合でも、フレームはデリケートであり、十分注意して取り扱わなければならない。
【００１９】
これらすべての解決構成を比較すると、それらが、基本的に、多数のパーツと、小さな部材を使用する複雑な取り付け構造であって、構造が重くなることに加えて、アセンブリ工程を合理化することが不可能であり、それによって、製造コストが大幅に増加することが明らかである。要するに、それらは、アセンブリ、及び店頭に於ける多数のコード化品目の管理を困難にするものである。
【００２０】
従って、本発明の課題は、眼鏡のフレーム用の理想的な解決手段を明らかにすることにある。
【００２１】
【課題を解決するための手段】
発明の要旨
添付の請求項に記載の特徴構成によれば、上述した問題を解決することによって、これら及びその他の課題は本発明によって解決される。すなわち、弓状フレームと、交換可能な前方レンズホルダのための支持クリップとを備えた眼鏡アセンブリであって、以下を有する、
−  前記前方レンズホルダ用の支持のためのアームを備えた弓状構造体、
−  成形材（ｐｒｏｆｉｌｅｄ  ｍａｔｅｒｉａｌ）からなる前方レンズホルダ、ここで、前記成形材は、レンズの外縁の少なくとも一部の周囲を取り巻いている、
−  前記前方レンズホルダを前記弓状構造体に結合するのに使用される、フレキシブルな作動機構を有する装置、
−  前記フレキシブル装置は、前記弓状構造体を構成する２つの弓状部間の接続ブリッジに対応して形成されている、
−  ここで、前記前方閉じリングレンズホルダは、レンズの周部支持部間の接続ブリッジを備え、前記ブリッジは、前記弓状構造体に一体形成されるクリップによって係止される。
【００２２】
利点
このようにして、非常に創造的な内容によって、非常に技術的な進展がみられ、種々の課題が達成される。
【００２３】
第１の課題は、レンズのクランプ構造を最適化することによって前記弓状構造体の改善を提案することにある。詳述すると、それらは、弓状構造体にリジッドに接続される。このことは、たとえフレームが正しく使用されなかったり、捻られたりした時でもレンズが誤って落下することがない、ということを意味する。
【００２４】
第２の課題は、特に、通常、レンズ用のクランプ装置に関して、部分的に磨耗することによって発生する変形を受けたときの、眼鏡の構造を更に強固なものにすることにある。
【００２５】
第３の課題は、バーをレンズホルダに接続するためにネジやナットを必要としない構造を提供することにある。
【００２６】
第４の課題は、レンズの良好な光学的安定性を保証するべく中央に取り付けられるレンズホルダを構成することにある。
【００２７】
第５の課題は、新規な色彩的および／又は工学的マッチングを提供するべく、互いに異なる材料から形成される、バーとレンズホルダを提供することにある。
【００２８】
第６の課題は、重量を低減し、軽量な構造を提供することにある。
【００２９】
第７の課題は、損傷を受けたパーツの効率的かつ経済的な修理と、無傷パーツの再使用を保証することにある。
【００３０】
最後の課題は、レンズ取り付けのために特別な、又は複雑な工程を必要とせず、更に、技術的に高度で、かつ、許容可能な製造コストの製品を提供を可能とすることにある。
【００３１】
これら及びその他の利点は、本発明の、一例であって非限定的な、少なくとも１つの好適実施例に関する、下記の詳細説明と添付の略図とから明らかになるであろう。
【００３２】
【発明の実施の形態】
種々の実施例の詳細説明
図面を参照すると、本発明の好適実施例において、軽量眼鏡構造体が提供され、これは、弓状構造体２に接続されるとともに、中央部に係止する前方レンズホルダ１から構成されている。
【００３３】
第１実施例において、前記前方レンズホルダ１は、成形連続フレキシブル金属製プロファイルからなり、これは、閉じられたリングの形状であり、眼鏡の各レンズのほぼ全周に沿って周辺を固定するように構成されている。このレンズホルダ１の形状に言及すると、これは、左右２つのリング１１を形成し、これらリング１１は、中間部１０によって互いに接続され、この中間部が両リング１１間の接続ブリッジを形成している。その結果、この場合、左右２つのレンズのそれぞれが同じレンズホルダ１によって保持されている。更に、前記前方レンズホルダ１の前記中間部１０において、当該前方レンズホルダの前記２つのリング間の前記接続ブリッジに対応し、前記プロファイルは保持される両レンズ間に適切な距離を形成するべく互いに近接しており、１００と１０１とによって形成されるプロファイルにほぼ並行な部分が存在する。その結果、前記ブリッジ１０に対応して付与され、プロファイルの前記２つの部分１００，１０１を互い引き寄せるように作用する張力が、両レンズをそれらの周部の周りで確実に把持するため調節される。そしてこの張力を減少させることによって、レンズの交換が可能となる。
【００３４】
前記レンズホルダ１のブリッジ１０に対応して、対応の弓状フレーム２を取り付けることができる。詳細には、この弓状フレーム２は１つのバー部材によって形成され、当該実施例においてはこのバー部材は金属製である。前記弓状フレーム２は、弓状の２つの左右の鏡像部２０，２１を形成するように形作られ、前記２つの部分２０，２１は、下方にある、レンズホルダ１によって保持されている各レンズに対応する。前記２つの部分２０，２１は、接続部２２Ａ，２２Ｂによって互いに接続され、前記接続部２２Ａ，２２Ｂも、必要に応じて、サドルクリップ部を形成するべく、ワイヤの一部の局所的に折り曲げ、折り返すことによって一体形成されている。前記２つの鏡像弓状部２０，２１のそれぞれの端部に対応する進展に従って形作られる前記サドルクリップ２２Ａ，２２Ｂは、以下のようにして形成される。即ち、前記弓状フレーム２の中央を折り曲げることによって、第１部分２２０が下方に延出する。続いて折り曲げることによって、第２部分２２１が、前記第１折り曲げに対してほぼ垂直に、前記眼鏡の内側に向かって延出する。更に、前記第１部分に対してほぼ反対方向に折り曲げて転置して、第３折り曲げ部２２２とする。そして、最後に、前記サドル−クリップを閉じるために、前記第３折り曲げ部２２２に対して垂直に折り曲げて第４折り曲げ部２２３が形成される。
【００３５】
図１及び２に図示されているように、前記サドルクリップの第１例２２Ａにおいて、前記部分２２１，２２２，２２３によって形成されるフック部は、眼鏡構造の内部に面している。他方、図３及び４に図示されているように、前記サドルクリップの第２例２２Ｂにおいては、それは外側に向いている。
【００３６】
これら両方のケースにおいて、前記前方レンズホルダ１を前記弓状フレーム２に取り付ける際に、先ず、前記プロファイルの両並行部分１００及び１０１をサドルに挿入するべく前記フレキシブル部分２２２，２２３を開け、次に、レンズホルダを引っ張り、前記プロファイルの前記両並行部分１００及び１０１を互いに引き寄せるべくそれらを元の位置に戻すことによって、サドルクリップ２２Ａ，２２Ｂがレンズホルダ１の前記接続ブリッジ１０に対応して確実に取り付けられることが重要である。
【００３７】
１好適実施例において、前記弓状フレーム２とレンズホルダ１との接続は、前記ブリッジ１０の上側部分１００のみに対応して設けられた歯状部１２を使用することによって更に改善される。この場合、上部プロファイル１００の主要部の上に溶接された短い部材が、前記上部プロファイルに存在する。この実施例では、レンズホルダ１を弓状フレーム２に係止するには、弓状フレーム２の部分２２３をホルダの前記歯状部分１２に押し付ける。
【００３８】
更に別の実施例において、前記成形バー部材２によって形成されるクリップ２２０，２２１，２２２及び２２３は、ここでも、両レンズ用の２つの支持リング間の前記中間接続部分に対応して、前記前方レンズホルダ１の連続プロファイルに対して上下から係合する逆形状に形成することができる。
【００３９】
上述した例において、前記弓状フレーム２と前方レンズホルダ１とを形成するために使用される材料は、金属やプラスチック等の互いに異なる材料とすることができ、これらを、剪断加工、フライス削り、レーザカット、その他の加工法によって加工して形成することができる。
【００４０】
最後に、ノーズパッド３，４は、例えば、前記サドルクリップ２２Ａ，２２Ｂの近傍に溶接することによって取り付けることができる。或いは、それらは、レンズホルダ１の従来の位置に接続することができる。
【図面の簡単な説明】
【図１】弓状フレームの前面図
【図２】図１に示した弓状フレームの側面図
【図３】図１に示した弓状フレームの変形例の前面図
【図４】図３に示した弓状フレームの側面図
【図５】前方レンズホルダのみを示す前面図
【図６】図５に示した前方レンズホルダの変形例の前面図
【図７】各弓状構造体に接続された前方レンズホルダの組み立て図
【図１】
2004157496.tif 000003
【図２】
2004157496.tif 000004
【図３】
2004157496.tif 000005
【図４】
2004157496.tif 000006
【図５】
2004157496.tif 000007
【図６】
2004157496.tif 000008
【図７】
2004157496.tif 000009
【外国語明細書】
2004157496.tif 000010
2004157496.tif 000011
2004157496.tif 000012
2004157496.tif 000013
2004157496.tif 000014
2004157496.tif 000015
2004157496.tif 000016
2004157496.tif 000017
2004157496.tif 000018
2004157496.tif 000019
2004157496.tif 000020
2004157496.tif 000021
2004157496.tif 000022
2004157496.tif 000023
2004157496.tif 000024
2004157496.tif 000025
2004157496.tif 000026